(57)【要約】【課題】収納量が多く且つ使い勝手が良いものとする。【解決手段】前方側に引き出し自在とした収納部１２を備えた収納装置であり、収納部１２を引き出し自在とするスライド機構３と、該スライド機構３と収納部１２とを連結しているとともに収納部１２を上下に移動自在としている昇降機構４とを備える。【選択図】図１
2015093104.tif 000002
【特許請求の範囲】
【請求項１】
前方側に引き出し自在とした収納部を備えた収納装置であって、収納部を引き出し自在とするスライド機構と、該スライド機構と上記収納部とを連結しているとともに上記収納部を上下に移動自在としている昇降機構とを備えていることを特徴とする収納装置。
【請求項２】
上記昇降機構に対して上記収納部を後方に移動させる移動機構を備えていることを特徴とする請求項１記載の収納装置。
【請求項３】
請求項１または２記載の収納部と機構とを備えていることを特徴とする洗面台。
【発明の詳細な説明】
【技術分野】
【０００１】
本発明は、引き出し式の収納部を備えている収納装置及び洗面台に関するものである。
【背景技術】
【０００２】
洗面室に設置される洗面化粧台は、洗面台と、洗面台の上方に配されるミラーキャビネットとからなり、洗面台及びミラーキャビネットには夫々収納部が設けられている。
【０００３】
この洗面化粧台の収納部に化粧品を収納し、ミラーキャビネットの鏡の前で立位の状態で化粧を行うことを想定すると、化粧品はミラーキャビネットに収納しておくほうが使い勝手がよい。しかし、ミラーキャビネットは、洗面化粧台の天板（カウンター）の洗面ボウルの上方に位置する関係で、その奥行きが小さく、収納部の収納量を大きくすることはできない。また、鏡の背後にある収納部は、奥行きが小さくとも全体的な収納量は大きいが、鏡を動かさないことには収納した物の出し入れができないために、使い勝手の上で大きな問題がある。
【０００４】
洗面台側の収納部は、十分な奥行きがあるために収納量が大きく、多くの化粧品を収納することができるが、腰をかがめないことには収納品の出し入れができない上に、ほぼ真上から覗き込むことになるために、収納している品々を判別し難く、やはり使い勝手が悪い。
【先行技術文献】
【特許文献】
【０００５】
【特許文献１】特開２０１１−２３９９３５号公報
【発明の概要】
【発明が解決しようとする課題】
【０００６】
本発明は上記問題に鑑みてなされたもので、収納量が多く且つ使い勝手が良い収納装置を提供することを課題とする。
【課題を解決するための手段】
【０００７】
本発明は、前方側に引き出し自在とした収納部を備えた収納装置であって、上記収納部を引き出し自在とするスライド機構と、該スライド機構と上記収納部とを連結しているとともに上記収納部を上下に移動自在としている昇降機構とを備えていることに特徴を有している。
【０００８】
上記昇降機構に対して上記収納部を後方に移動させる移動機構を備えていることも好ましい。
【０００９】
また本発明は、上記の収納部と機構とを備えた洗面台に特徴を有している。
【発明の効果】
【００１０】
本発明によれば、例えば洗面台に設けた引き出し式で収納量の多い収納部を、引き出した位置よりも上方に位置させることができるものであり、このために腰をかがめたりしなくても、収納部に収納した品々の出し入れを行うことができ、化粧時のように各種収納品を取っ替え引っ替え出し入れするような場合にきわめて有用である。
【図面の簡単な説明】
【００１１】
【図１】本発明の実施の形態の一例の縦断面図である。
【図２】同上の横断面図である。
【図３】他例の縦断面図である。
【図４】(a)は洗面化粧台の正面図、(b)は洗面台の平面図である。
【発明を実施するための形態】
【００１２】
以下本発明を図示実施例に基づいて詳述すると、図４に示す収納装置は、洗面台１とミラーキャビネット２とで構成される洗面化粧台であり、洗面ボウル１１を備える天板１０が上面に配された洗面台１は、その前面の片側に上下３段の引き出し１２を備えている。
【００１３】
収納部であるこれら３つの引き出し１２のうち、下側２段の引き出し１２は通常のものであるが、最上段に位置する引き出し１２は、単に引き出すだけでなく、天板１０の上方側に位置させることもできるものとなっている。
【００１４】
すなわち、洗面台１のフレーム１３に対して、最上段の引き出し１２は、２つのスライド機構３，５と、１つの昇降機構４を介して連結されたものとなっている。
【００１５】
これらスライド機構３，５と昇降機構４の一例を図１及び図２に示す。スライド機構３は、フレーム１３に固定されたスライドレール３０と、このスライドレール３０内を転動するローラ３２，３２を備えたスライダー３１とからなる。
【００１６】
昇降機構４は、スライダー３１に下端が連結され、上端が保持枠４２に連結されたパンタグラフ（レイジートング）機構であり、中程の節４３，４３間に引っ張りコイルばねからなるばね材４４を備えている。このばね４４により、昇降機構４は保持枠４２を上方に付勢している。
【００１７】
スライド機構５は、引き出し１２に固定したスライドレール５０と、上記の保持枠４２に設けられてスライドレール５０内を転動するローラ５１，５１とからなり、保持枠４２に対して引き出し１２を前後にスライド自在としている。なお、引き出し１２は、保持枠４２に対して常時は前方に引き出された状態にある。
【００１８】
これらスライド機構３，５と昇降機構４とにより、最上段の引き出し１２は、天板１０の下方に納まった位置と、洗面台１の天板１０上に位置との間を移動させることができる。
【００１９】
今、洗面台１内に納まった位置から最上段の引き出し１２を引き出せば、スライダー３１がスライドすることで、引き出し１２は前方へ移動する。そして、引き出し１２が洗面台１の天板１０の前端よりも前方に位置するところに達すれば、昇降機構４が前記ばね材４４のばね力によって引き出し１２を上昇させ、天板１０よりも高い位置に引き出し１２を持ち上げる。なお、ばね材４４のばね力による上昇の速度を抑えるために、昇降機構４にはダンパーを設けておくことが好ましい。
【００２０】
このように、引き出し１２を天板１０よりも高い位置に持ち上げたならば、洗面化粧台の前に立つ人は、腰をかがめたりすることなく、真横に位置する引き出し１２内の収納品の出し入れを行うことができる。
【００２１】
しかも、本実施例においては、天板１０よりも高い位置にある引き出し１２を後方へ押せば、スライド機構５の存在により、引き出し１２を天板１０に被さる位置に移動させることができる。この結果、洗面台１の前に立つ人にとって、引き出し１２は自分よりも前側に位置することになるために、更に収納品の出し入れが用意となる。
【００２２】
引き出し１２を元の位置に戻すには、天板１０の上方に位置する引き出し１２を前方側に移動させ、ばね材４４による付勢に抗して引き出し１２を押し下げた後、後方に押し込めばよい。この時、スライド機構５によるスライドで引き出し１２だけが後退し、スライド機構３のスライダー３１が後退しない事態が生じることを避けるために、スライド機構５にはロック部材（図示せず）を設けておくことが好ましい。保持板４２に対して引き出し１２を後退させることを阻止するロック部材としては、手動でロック及びロック解除を行うもののほか、昇降機構４であるパンタグラフ機構の動きでロック部材が作動するようにしておくとよい。
【００２３】
天板１０よりも高い位置まで持ち上げた引き出し１２を天板１０上に位置させることは、スライド機構５による直進スライド後退で行うほか、次のようにしてもよい。すなわち、保持枠４２を引き出し１２の底面側に位置するものとするとともに、保持枠４２から上方に軸（図示せず）を立ち上げておく。そして引き出し１２の後端部もしくは後端寄りの位置を、上記軸に嵌め合わせて、軸のまわりに引き出し１２を水平回転させることができるようにする。１８０°回転スライドさせることで、引き出し１２を天板１０の上方に前後逆向きの状態で位置させることができる。なお、天板１０よりも高い位置まで持ち上げた引き出し１２を後方に移動させて天板１０上に位置させることは、これらの例に限るものではなく、他の移動機構を用いてもよいのはもちろんである。
【００２４】
図３に他の実施例を示す。これは洗面台１のフレーム１３に引き出し１２を２つのスライド機構３，５及び１つの昇降機構４を利用して連結した点で上記実施例と同じであるが、昇降機構４として、四節平行リンク機構を用いた点が異なっている。
【００２５】
図示例では、スライド機構３におけるスライダー３１に２本のリンク４５，４６の一端を夫々連結し、引き出し１２をスライド機構５を介してスライド自在としている保持板４２にリンク４５，４６の他端を夫々連結している。また、引っ張りコイルばねからなるばね材４７をリンク４５の中程とスライダー３１とに連結することで、保持板４２及び引き出し１２を常時上方に持ち上げる力が働くようにしている。
【００２６】
引き出し１２と昇降機構４との間のスライド機構５は、前記実施例と同様に、引き出し１２に設けたスライドレール５０内を保持板４２に設けたローラ５１，５１が転動するものとしている。ただし、引き出し１２を洗面台１内に収めた状態では、保持板４２に対して、引き出し１２を後方に押し込んだ状態となるようにしている。
【００２７】
洗面台１内に納まっている最上段の引き出し１２を引き出せば、保持板４２に対して引き出し１２が引き出される。さらに引き出し１２を引っ張れば、保持板４２及びスライダー３１も前進して、引き出し１２が洗面台１２の前方に大きく飛び出る。このように引き出した引き出し１２は、昇降機構４におけるばね材４７のばね力によって上方に持ち上げられ、天板１０よりも高い位置に達する。ばね材４７のばね力による上昇の速度を抑えるために、昇降機構４にはダンパーを設けておくことが好ましいのは、本例でも同じである。
【００２８】
引き出し１２を天板１０よりも高い位置に持ち上げたならば、スライド機構５を利用して引き出し１２を後方へ押すことで、引き出し１２を天板１０に被さる位置に移動させることができる。洗面化粧台の前に立つ人は、腰をかがめたりすることなく、斜め前方に位置する引き出し１２内の収納品の出し入れを行うことができる。
【００２９】
本実施例においては、スライド機構３によるスライダー３２の前後スライドよりも、スライド機構５による引き出し１２の前後スライドを、軽い力で行うことができるようにしておくことが望ましい。これはスライド機構３におけるスライドレール３１に、ローラ３２が乗り越える突起（図示せず）を設けることで、簡便に実施することができる。
【００３０】
また、スライド機構５による引き出し１２の前方スライドが終端に達するまでは、スライド機構３によるスライダー３２の前方スライドを阻止するロック部材を設けてもよい。
【００３１】
スライド機構３，５及び昇降機構４としては、図示例のものに限らず、適宜の機構を用いることができる。また、洗面化粧台での例を示したが、本発明はこれに限定されるものではない。
【００３２】
洗面台１内に引き出し１２が位置する時には、ばね部材４４，４７による上方への付勢が引き出し１２のスライド動作についての抵抗となってしまう。この点については、引き出し１２の上面側を転動する別途ローラ（図示せず）を設けたり、昇降機構４に引き出し１２を下げた状態で固定するロック部材（図示せず）を設けることで解決することができる。
【符号の説明】
【００３３】
１  洗面台
３  スライド機構
４  昇降機構
５  スライド機構
１２  引き出し
【図１】
2015093104.tif 000003
【図２】
2015093104.tif 000004
【図３】
2015093104.tif 000005
【図４】
2015093104.tif 000006